(57)【要約】【課題】機能・構造の異なる複数のつまみを効率良く集積して設置できると同時に各つまみが操作し易い電子部品用操作板を提供する。【解決手段】  ケース１０の表面（面１１）に第一のスライド式電子部品２０の第一のスライド用のつまみ２１を設置する。第一のスライド用のつまみ２１のスライド方向Ａに直交する両側に一対の押圧式スイッチ３０，４０の押釦つまみ３１，４１を設置する。ケース１０には、第一のスライド式電子部品２０の第一のスライド用のつまみ２１と一対の押釦つまみ３１，４１の他に、さらに第二のスライド式電子部品５０の第二のスライド用のつまみ５１が取り付けられ、第一のスライド用のつまみ２１と一対の押釦つまみ３１，４１はケース１０の面１１上に設けられ、第二のスライド用のつまみ５１は面１５上に設けられる。【選択図】図１
2005293885.tif 000002
【特許請求の範囲】
【請求項１】
ケース表面に電子部品のスライド用又は回転用のつまみを設置すると共に、
前記つまみの両側に一対の押圧式スイッチの押釦つまみを設置したことを特徴とする電子部品用操作板。
【請求項２】
前記電子部品のつまみには、このつまみと一体に移動するようにケース下面に移動型物を取り付け、
一方前記一対の押釦つまみからはそれぞれ二本のヒンジ部を突出して設け、これら四本のヒンジ部を、ケース下面において、その先端が前記移動型物に向かうとともに、この移動型物を内包するように配置したことを特徴とする請求項１に記載の電子部品用操作板。
【請求項３】
前記電子部品のつまみは、スライド用のつまみであり、
且つ前記一対の押釦つまみは、前記電子部品のつまみのスライド方向に略直交する方向に配置されていることを特徴とする請求項１又は２に記載の電子部品用操作板。
【請求項４】
前記ケースには、前記電子部品のつまみと一対の押釦つまみの他に、さらに第二の電子部品のつまみが取り付けられており、
前記電子部品のつまみと一対の押釦つまみは前記ケースの第一面上に設けられ、一方前記第二の電子部品のつまみは、前記ケースの第一面と所定角度を有して接続され且つ第一面の下方側に垂下する第二面上に設けられていることを特徴とする請求項１又は２又は３に記載の電子部品用操作板。
【発明の詳細な説明】
【技術分野】
【０００１】
本発明は、機能・構造の異なる複数の電子部品操作用のつまみを設置してなる電子部品用操作板に関するものである。
【背景技術】
【０００２】
従来、電子機器、特に携帯機器においては、その小型化が求められると同時に、その操作性の向上が求められている。このため従来、携帯機器を操作する多数の操作用のつまみは、一ヶ所に集中して配置され、例えばこれら多数のつまみを片手で操作できるようにしている。
【０００３】
しかしながらつまみの中にはスライド式スイッチのスライド用つまみや、押圧式スイッチの押釦つまみ等、機能と構造の異なる多数のつまみがあるので、必ずしも従来これらつまみを片手で操作し易いように集積化して設置しているとはいえなかった。
【０００４】
また例えば押釦つまみがヒンジ部を有し、ヒンジ部先端を固定することで揺動自在に支持する構造であって、この押釦つまみを他のつまみとともに集積化して設置しようとした場合、押釦つまみのヒンジ部の長さを集積化のため長く取ることができず、このため押釦つまみのヒンジ部の長さが短くなって押圧時の感触が重くなったり、ヒンジ部の耐久性が短くなったりする恐れがあった。
【特許文献１】実開平６−３６１７１号公報
【発明の開示】
【発明が解決しようとする課題】
【０００５】
本発明は上述の点に鑑みてなされたものでありその目的は、機能・構造の異なる複数のつまみを効率良く集積して設置できると同時に各つまみが操作し易く、さらにヒンジ部を有する押釦つまみを集積して設置する場合であってもヒンジ部の長さを長く取ることができてその押圧感触を良好にできると同時にヒンジ部の耐久性を向上できる電子部品用操作板を提供することにある。
【課題を解決するための手段】
【０００６】
本願請求項１に記載の発明は、ケース表面に電子部品のスライド用又は回転用のつまみを設置すると共に、前記つまみの両側に一対の押圧式スイッチの押釦つまみを設置したことを特徴とする電子部品用操作板にある。
【０００７】
本願請求項２に記載の発明は、前記電子部品のつまみには、このつまみと一体に移動するようにケース下面に移動型物を取り付け、一方前記一対の押釦つまみからはそれぞれ二本のヒンジ部を突出して設け、これら四本のヒンジ部を、ケース下面において、その先端が前記移動型物に向かうとともに、この移動型物を内包するように配置したことを特徴とする請求項１に記載の電子部品用操作板にある。
【０００８】
本願請求項３に記載の発明は、前記電子部品のつまみは、スライド用のつまみであり、且つ前記一対の押釦つまみは、前記電子部品のつまみのスライド方向に略直交する方向に配置されていることを特徴とする請求項１又は２に記載の電子部品用操作板にある。
【０００９】
本願請求項４に記載の発明は、前記ケースには、前記電子部品のつまみと一対の押釦つまみの他に、さらに第二の電子部品のつまみが取り付けられており、前記電子部品のつまみと一対の押釦つまみは前記ケースの第一面上に設けられ、一方前記第二の電子部品のつまみは、前記ケースの第一面と所定角度を有して接続され且つ第一面の下方側に垂下する第二面上に設けられていることを特徴とする請求項１又は２又は３に記載の電子部品用操作板にある。
【発明の効果】
【００１０】
請求項１に記載の発明によれば、ケース表面に設置した電子部品のスライド用又は回転用のつまみの両側に一対の押釦つまみを設置したので、これらつまみを容易に集積して設置することが可能となって小型化が図れる。また一本の指（例えば親指）によって各つまみの操作が容易に行えるようになる。
【００１１】
請求項２に記載の発明によれば、一対の押釦つまみの四本のヒンジ部を、移動型物を内包するように配置したので、移動型物の周囲を囲む空間全てを有効利用できてヒンジ部の長さを長くでき、これによって押釦つまみを押圧した際の押圧力を弱くできてその押圧感触を良好にできると同時にヒンジ部の長寿命化を図ることができる。
【００１２】
請求項３に記載の発明によれば、一対の押釦つまみを、スライド用のつまみのスライド方向に略直交する方向に配置したので、スライド用のつまみの動作方向と押釦つまみの動作方向とが交差・干渉することはなく、従ってこれらつまみを集積して設置することが容易に行える。またそれぞれのつまみの動作方向が違う上に集積して設置できるので、一本の指（例えば親指）によって各つまみの操作が容易に行えるようになる。
【００１３】
請求項４に記載の発明によれば、第二の電子部品のつまみを、ケースの第一面と所定角度を有して接続され且つ第一面の下方向に垂下する第二面上に設けたので、第一面に設けた各つまみを操作する指（親指）によって容易に第二の電子部品のつまみを操作することができるようになる。
【発明を実施するための最良の形態】
【００１４】
以下、本発明の実施形態を図面に基づいて詳細に説明する。
図１，図２は本発明の一実施形態にかかる電子部品用操作板１を示す図であり、図１はその斜視図、図２は平面図である。両図に示すように電子部品用操作板１は、ケース１０の略中央面（以下「第一面」という）１１の表面中央には第一の電子部品（以下「第一のスライド式電子部品」という）２０の第一のスライド用のつまみ２１を設置すると共に、前記第一のスライド用のつまみ２１の両側に一対の押圧式スイッチ３０，４０の押釦つまみ３１，４１を設置し、一方ケース１０の第一のスライド用のつまみ２１の一方のスライド方向Ａの前方（前方・後方は以下で定義する）には第一面１１と所定角度α（９０°＜α＜１８０°）を有して屈曲辺１３を介して第一面１１の下方側（第一のスライド用のつまみ２１が設置される第一面１１の表面の裏面側）に垂下する前方面（以下「第二面」という）１５を設け、この第二面１５には第二の電子部品（以下「第二のスライド式電子部品」という）５０のＢ方向にスライドする第二のスライド用のつまみ５１を設置し、さらにケース１０の前記第一のスライド用のつまみ２１のもう一方のスライド方向Ａの後方に設けた後方面（以下「第三面」という）１７には第三の押圧式スイッチ６０の押釦つまみ６１と、多方向揺動型スイッチ７０の揺動つまみ７１を設置して構成されている。以下各構成部品について説明する。
【００１５】
なおこの実施形態においては、第一面１１から第二面１５側を向く方向を「前方」、第一面１１から第三面１７側を向く方向を「後方」と定義する。
【００１６】
図３は上記電子部品用操作板１を構成する各部品の内のケース１０及び各種つまみ２１，３１，４１，５１，６１，７１を示す分解斜視図である。また図４はケース１０の第一面１１及び一対の押釦つまみ３１，４１及び第一の移動型物(以下この実施形態では「第一の摺動型物」という)２５を下側から見た要部斜視図である。
【００１７】
図３においてケース１０は合成樹脂の板状の成形品であり、略円形に形成された第一面１１の前方に第一面１１と所定角度α（９０°＜α＜１８０°）を有して接続され且つ第一面１１の下方側に垂下する第二面１５を設け、一方第一面１１の後方に第一面１１と略平行な面を有する第三面１７を設けて構成されている。
【００１８】
第一面１１の中央には第一のスライド用のつまみ２１のスライド方向Ａに向かって延びる略矩形凹状のスライドつまみ挿入溝１１１が設けられ、さらにスライドつまみ挿入溝１１１内には略矩形状のスライドつまみ挿入孔１１３が設けられ、またこのスライドつまみ挿入孔１１３の両側（スライド方向Ａと略直交するスライドつまみ挿入孔１１３の両側）には一対のスライド方向が長い寸法となる略矩形状の押釦つまみ挿入孔１１５，１１７が設けられている。押釦つまみ挿入孔１１５，１１７のケース１０の外周辺側の薄い側壁からなる帯状の側辺１１５ａ，１１７ａは、円弧状に形成されてケース１０の外周辺を構成している。さらにこれら両側辺１１５ａ，１１７ａの上辺部はその略全長にわたって所定の深さをもって切り欠かれてなる切り欠き部１１５ｂ，１１７ｂとなっている。
【００１９】
また図４に示すように、第一面１１の下面のスライドつまみ挿入孔１１３の周囲には、これを囲むように矩形状のガイド側壁１１８が設けられている。ガイド側壁１１８の長手方向の幅は下記する第一の摺動型物２５の長手方向の長さよりも所定長さ長い寸法に形成され、またガイド側壁１１８の短手方向の幅は第一の摺動型物２５の短手方向の長さと略同一の寸法に形成されている。またガイド側壁１１８の長手方向の両端辺のさらに外側には、それぞれ二本ずつの小突起状の固定部１１９が突出して設けられている。
【００２０】
次に図３に示す第二面１５の中央には、第二のスライドつまみ５１のスライド方向Ｂに向かって延びる略矩形凹状のスライドつまみ挿入溝１５１が設けられ、さらにスライドつまみ挿入溝１５１内に略矩形状の二本のスライドつまみ挿入孔１５３が平行に設けられ、またスライドつまみ挿入溝１５１のスライドつまみ挿入孔１５３を設けた底面１５５とそれよりも第一面１１側に位置する底面１５７との間には、底面１５７の方が深くなるような段部１５９が設けられている。
【００２１】
次に第三面１７には、第一のスライドつまみ２１のスライド方向Ａのスライド中心軸に対してその両側に前記押釦つまみ６１と揺動つまみ７１とをそれぞれ挿通する円形の押釦つまみ挿入孔１７１と揺動つまみ挿入孔１７３とが設けられている。
【００２２】
次に第一のスライド用のつまみ２１は合成樹脂の成形品であり、その幅寸法（スライド方向Ａに直交する方向の寸法）は前記スライドつまみ挿入溝１１１内に略ぴったり挿入されるようにこのスライドつまみ挿入溝１１１の幅寸法と略同一で、その長さ寸法（スライド方向Ａの寸法）はこのスライドつまみ挿入溝１１１の長さ寸法よりも所定寸法短く形成されている。第一のスライド用のつまみ２１の下面からは、ケース１０のスライドつまみ挿入孔１１３を通してその下側に設置される第一の摺動型物２５に取り付けられる図示しない取付部が突出して設けられている。
【００２３】
一対の押釦つまみ３１，４１の外周形状は、それぞれ前記ケース１０の押釦つまみ挿入孔１１５，１１７内に略ぴったり挿入されるように、これら押釦つまみ挿入孔１１５，１１７の内周形状と略同一形状、即ち略矩形状に形成されている。そして一対の押釦つまみ３１，４１の両外側辺（押釦つまみ３１，４１の対向する内側辺の反対側の辺）３１ａ，４１ａは、前記ケース１０の円弧状の外周辺である側辺１１５ａ，１１７ａに沿うように円弧状に形成されている。そしてこれら押釦つまみ３１，４１の長手方向両端からは、それぞれ両押釦つまみ３１，４１が対向する側、即ち押釦つまみ３１，４１から第一のスライド用のつまみ２１側に向かって、平行な二本ずつの押圧方向に対して弾性変形する薄板棒状のヒンジ部３３，３３，４３，４３を突出して設け、これらヒンジ部３３，３３，４３，４３の先端にそれぞれ四角柱状の固定部３５，３５，４５，４５を設け、各固定部３５，３５，４５，４５に上下方向に貫通する取付孔３７，３７，４７，４７を設けて構成されている。これら取付孔３７，３７，４７，４７は図４に示すように、ケース１０の第一面１１の下面に設けた固定部１１９に挿入されることで、ケース１０の押釦つまみ挿入孔１１５，１１７内に挿入された押釦つまみ３１，４１がケース１０に揺動自在に支持されるように構成されている。また図４に示すように、押釦つまみ３１の下面の略中央には、小突起状の押圧部３２が設けられ、また押釦つまみ４１の下面の略中央は、平面状の押圧部４２となっている。
【００２４】
図３に示すように、第二のスライド用のつまみ５１は合成樹脂の成形品であり、その幅寸法（スライド方向Ｂに直交する方向の寸法）は前記スライドつまみ挿入溝１５１内に略ぴったり挿入されるようにこのスライドつまみ挿入溝１５１の幅寸法と略同一で、その長さ寸法（スライド方向Ｂの寸法）はこのスライドつまみ挿入溝１５１の長さ寸法よりも所定寸法短く形成されている。第二のスライド用のつまみ５１の下面（ケース１０側を向く面）からは、ケース１０の二つのスライドつまみ挿入孔１５３，１５３を通してその下側に設置される下記する第二の移動型物（以下この実施形態では「第二の摺動型物」という）５５の固定部５５３，５５３に取り付けられる図示しない取付部が二本突出して設けられている。また第二のスライド用のつまみ５１下面の第一のスライドつまみ２１側部分には、前記ケース１０の底面１５７の部分に挿入される突起状のストッパー部５１３が設けられている。このストッパー部５１３はスライドつまみ挿入溝１５１の底面１５７側の部分内を移動し、その一端が段部１５９に当接することで第二のスライド用のつまみ５１の前方方向（図３では斜め前方下方向）への移動を制止する。
【００２５】
押釦つまみ６１は合成樹脂の成形品であり、円柱状に形成され、その外周から一対の薄板状のヒンジ部６１１，６１１を突出し、更にこれら一対のヒンジ部６１１，６１１の先端を一枚の板状の固定部６１３に接続し、この固定部６１３の両端に上下方向に貫通する取付孔６１５，６１５を設けて構成されている。これら取付孔６１５，６１５はケース１０の下面に設けた図示しない小突起に挿入されることで、ケース１０の押釦つまみ挿入孔１７１内に挿入された押釦つまみ６１がケース１０に揺動自在に支持されるように構成されている。
【００２６】
揺動つまみ７１は合成樹脂の成形品であり、円柱状の操作部７１１の下部に円錐状のレバー固定部７１３を設けて構成されている。レバー固定部７１３の下面には下記する多方向揺動型スイッチ本体９５に設けたレバー９７を挿入して固定する図示しない取付穴が設けられている。
【００２７】
図５は電子部品用操作板１全体の概略分解斜視図である。同図に示すように電子部品用操作板１は、前記各種つまみ２１，３１，４１，５１，６１，７１を取り付けたケース１０の下面側に、前記第一のスライド用のつまみ２１に固定される第一の摺動型物２５と、前記第二のスライド用のつまみ５１に固定される第二の摺動型物５５と、その下側に設置される基板（以下この実施形態では「フレキシブル基板」という）８０と、さらにその下側に設置される二枚の取付板１２０，１３０とを設置して構成されている。以下各構成部品について説明する。
【００２８】
第一の摺動型物２５は、合成樹脂をスライド方向を長手寸法とする略矩形状に成形して構成されており、その下面（フレキシブル基板８０側の面）には下記するフレキシブル基板８０の第一のスライドスイッチ用パターン８３上に摺接する金属板製の摺動子（図４参照）２５１が取り付けられている。また第一の摺動型物２５には前記第一のスライドつまみ２１の下面から突出する図示しない取付部を挿入して両者を一体に固定する貫通孔からなる固定部２５３が設けられている。
【００２９】
第二の摺動型物５５は、合成樹脂を略矩形状に成形して構成されており、その下面（フレキシブル基板８０側の面）には下記するフレキシブル基板８０の第二のスライドスイッチ用パターン８５上に摺接する金属板製の摺動子（図示せず）が取り付けられている。また第二の摺動型物５５には前記第二のスライドつまみ５１の下面から突出する図示しない取付部を挿入して両者を一体に固定する二つの固定部５５３が設けられている。
【００３０】
フレキシブル基板８０は可撓性を有する合成樹脂フイルム８１上の、前記第一のスライド用のつまみ２１に対向する位置に第一のスライドスイッチ用パターン８３を設け、また前記第二のスライド用のつまみ５１に対向する位置に第二のスライドスイッチ用パターン８５を設け、また前記押釦つまみ３１に対向する位置に押圧式スイッチ用の反転板８７を設け、また前記押釦つまみ４１に対向する位置に二段押圧式スイッチ用の第一反転板８９及び第一反転板８９から所定距離離れた位置に第二反転板９１を設け、また前記押釦つまみ６１に対向する位置に押圧式スイッチ用の反転板９３を設け、また前記揺動つまみ７１に対向する位置に多方向揺動型スイッチ本体９５を設けて構成されている。
【００３１】
ここで前記第一，第二のスライドスイッチ用パターン８３，８５は、その上を摺動子が摺動することでそのオンオフ出力が変化するように形成されている。また四つの反転板８７，８９，９１，９３は、何れも弾性金属板をドーム形状に形成して構成されており、それぞれその下面側のフレキシブル基板８０上に図示しない一対の接点パターンを形成し、反転板８７，８９，９１，９３を押圧して反転することでその真下に設けた一対の接点パターン間がオンするように構成されている。また多方向揺動型スイッチ本体９５はケース９６の上面中央からレバー９７を突出して構成されている。そしてレバー９７を中立位置（直立位置）においてその中心軸方向（真下方向）に押圧すれば、ケース９６内の中央スイッチがオンし、またレバー９７を斜めに揺動すれば揺動した方向のケース９６内の周囲スイッチがオンするように動作する。周囲スイッチはこの実施形態ではレバー９７を倒す方向を９０°変更する毎に別の周囲スイッチがオンする。即ち周囲スイッチは四方向に設けられている。
【００３２】
ここでフレキシブル基板８０は、第一のスライドスイッチ用パターン８３と三つの反転板８７，８９，９１とを設けた第一面１０１と、第二のスライドスイッチ用パターン８５を設けた第二面１０３と、反転板９３と多方向揺動型スイッチ本体９５を設けた第三面１０５とを具備し、第三面１０５の側部から帯状の引出部１０７を引き出して構成されている。第一面１０１の反転板９１を設けた部分は折り返して反転板８９上に載置できるように突出する折り曲げ片１０９となっている。折り曲げ片１０９の反転板９１を載置した部分の反対側の面には硬質板１０９ａが貼り付けられている。また反転板８９の上面には図示しない絶縁フイルムがこれを覆うように貼り付けられている。また反転板８９と反転板９１の反転時の荷重は異なっている。またフレキシブル基板８０の所定の複数位置には、ケース１０の下面から突出する図示しない小突起等を挿入して固定する小穴からなる取付部９０が設けられている。
【００３３】
また反転板９１は下記するように反転板８９の真上に折り返されて設置されるが、両反転板８９，９１の間には作動型物１４０が設置される。この作動型物１４０は合成樹脂の成型品であり、棒状に伸びる基部１４１の一方の側面からコ字状で薄板状のヒンジ部１４３を突出して設け、このヒンジ部１４３の中央に上下方向に突出する押圧部１４５を設け、一方基部１４１の両端の上下面からはそれぞれ小突起からなる固定部１４７を突出して構成されている。
【００３４】
次に取付板１３０は金属板製であり、前記ケース１０の第一面１１及び第三面１７の下面を略塞ぐ形状に形成され、従って取付板１３０の前記第一面１１に対向する面１３１と前記第三面１７に対向する面１３３の間には、面１３３の高さを面１３１の高さよりも低くする屈曲辺１３５が設けられている。取付板１３０の所定位置にはケース１０の下面から突出する図示しない小突起等を挿入して固定する小穴からなる取付部１３７が複数箇所に設けられている。一方取付板１２０も金属板製であり、前記ケース１０の第二面１５の下面を略塞ぐ面１２１を有する形状に形成されている。取付板１２０の所定位置にはケース１０の下面から突出する図示しない小突起を挿入して固定する小穴からなる取付部１２７がその複数箇所に設けられている。なお取付部１３７，１２７の多くは前記フレキシブル基板８０の取付部９０に対向する位置に設けられている。
【００３５】
そしてこの電子部品用操作板１を組み立てるには、まず図３において、ケース１０の上面側からそのスライドつまみ挿入溝１１１内に第一のスライド用のつまみ２１を挿入し、同時にケース１０の下面の図４に示すガイド側壁１１８内に第一の摺動型物２５を挿入することで、第一のスライド用のつまみ２１の下面に設けた図示しない取付部を第一の摺動型物２５に設けた各固定部２５３に挿入し、前記取付部の先端を第一の摺動型物２５の下面側で熱カシメすることで両者を一体に固定する（なお図６には、第一のスライド用のつまみ２１の四つの取付部２１１が記載されている）。つまり第一のスライド用のつまみ２１と第一の摺動型物２５はケース１０を挟んで、矢印Ａ方向にスライド自在に固定されている。スライドする範囲は、第一の摺動型物２５がガイド側壁１１８内をガイドされながらスライド移動できる範囲である。
【００３６】
次にケース１０の上面側からそのスライドつまみ挿入溝１５１内に第二のスライド用のつまみ５１を挿入し、同時にケース１０の下面側に図５に示す第二の摺動型物５５を配置することで、第二のスライド用のつまみ５１の下面に設けた図示しない取付部を第二の摺動型物５５に設けた固定部５５３，５５３に挿入して両者を一体に固定する。つまり第二のスライド用のつまみ５１と第二の摺動型物５５はケース１０を挟んで矢印Ｂ方向にスライド自在に固定される。
【００３７】
次にケース１０の下面側からそれぞれ押釦つまみ３１と押釦つまみ４１と押釦つまみ６１と揺動つまみ７１とを挿入する。このとき図４に示すように、押釦つまみ３１に設けた取付孔３７，３７と、押釦つまみ４１に設けた取付孔４７，４７とに、ケース１０の下面に設けた固定部１１９を挿入することで固定部３５，３５と固定部４５，４５とをケース１０の下面に固定し、また図３に示すように、押釦つまみ６１に設けた取付孔６１５，６１５にケース１０の下面に設けた図示しない小突起を挿入することで固定部６１３をケース１０の下面に固定する。従ってこれら押釦つまみ３１，４１，６１はケース１０の下面にそれぞれの固定部３５，３５，４５，４５，６１３の部分を支点として押圧方向に対して弾性変形するヒンジ部３３，３３，４３，４３を介して押圧上下方向に揺動自在に固定される。
【００３８】
ここで図６は第一の摺動型物２５と押釦つまみ３１と押釦つまみ４１とを取り付けたケース１０の第一面１１の下面を示す裏面図である。同図からわかるように、一対の押釦つまみ３１，４１の四本のヒンジ部３３，３３，４３，４３は、何れも第一の摺動型物２５の方向に向かって突出しており、同時にそれらの先端は、第一の摺動型物２５の両側（第一の摺動型物２５が摺動する両端）に配置されている。言い換えれば、一対の押釦つまみ３１，４１から突出するそれぞれ二本のヒンジ部３３，３３，４３，４３は、ケース１０の下面において、第一の摺動型物２５に向かい且つ第一の摺動型物２５を内包するように配置されている。
【００３９】
即ちこの実施形態においては、一対の押釦つまみ３１，４１の四本のヒンジ部３３，３３，４３，４３を、その中央に設置した第一の摺動型物２５を内包するように配置したので、前述のように各ヒンジ部３３，３３，４３，４３の先端を、第一の摺動型物２５のスライド方向Ａに向かう両端側にまで伸ばすことができ、その分（第一の摺動型物２５の幅寸法分）ヒンジ部３３，３３，４３，４３の長さを長くできる。従って押釦つまみ３１，４１を押圧した際の押圧力を弱くできてその押圧感触を良好にできると同時にヒンジ部３３，３３，４３，４３の長寿命化が図れる。
【００４０】
一方図５に示すフレキシブル基板８０において、フレキシブル基板８０の反転板８９の上に作動型物１４０を載置する。このとき作動型物１４０の基部１４１の下面から突出する固定部１４７をフレキシブル基板８０に設けた取付部９０に挿入する。そしてフレキシブル基板８０の折り曲げ片１０９の部分を折り返して反転板９１を下向きの状態として作動型物１４０の上に載置して重ね、このとき折り曲げ片１０９の反転板９１の周囲に設けた取付部９０に基部１４１の上面から突出する固定部１４７を挿入し、この固定部１４７の先端を硬質板１０９ａの表面（折り曲げ片１０９を折り曲げることで上向きとなった側の面）で熱カシメしておく。これによって内向きに対向した一対の反転板８９，９１の間に作動型物１４０が設置され、且つ一対の反転板８９，９１のそれぞれ中央に作動型物１４０の押圧部１４５の上下面が当接又は接近して設置されることとなる。
【００４１】
そして図５に示すように、ケース１０の下面側に前記作動型物１４０を取り付けたフレキシブル基板８０を取り付ける。このときフレキシブル基板８０に設けた各取付部９０に、それぞれこれに対向する位置に設けたケース１０の下面から突出する図示しない小突起を挿入する。またこのとき同時に、前記図４に示す押釦つまみ３１の取付孔３７，３７と、押釦つまみ４１の取付孔４７，４７を貫通したケース１０の固定部１１９の先端もフレキシブル基板８０のこれに対向する位置に設けた各取付部９０に挿入する。またこのとき多方向揺動型スイッチ本体９５のレバー９７は、揺動つまみ７１のレバー固定部７１３の下面に設けた図示しない取付穴に挿入され、揺動つまみ７１とレバー９７が一体に揺動するように構成される。
【００４２】
そしてフレキシブル基板８０の下面側に二枚の取付板１２０，１３０を取り付ける。その際取付板１２０，１３０に設けた各取付部１３７，１２７に、ケース１０の下面から突出してフレキシブル基板８０の取付部９０を貫通した図示しない前記各小突起と、同様にフレキシブル基板８０の取付部９０を貫通した作動型物１４０の固定部１４７と、同様にフレキシブル基板８０の取付部９０を貫通したケース１０の固定部１１９（図４参照）とを挿入してそれぞれの先端を取付板１２０，１３０の下面で熱カシメによって固定する。これによって図１，図２に示す電子部品用操作板１が完成する。
【００４３】
以上のようにして構成された電子部品用操作板１の第一のスライド用のつまみ２１を図１に示す矢印Ａ方向にスライドすれば、これと一体に図５に示す第一の摺動型物２５がスライド移動し、第一の摺動型物２５の下面に取り付けた摺動子２５１がフレキシブル基板８０の第一のスライドスイッチ用パターン８３上を摺動してそのオンオフ状態を切り換える。一方第二のスライド用のつまみ５１を図１に示す矢印Ｂ方向にスライドすれば、これと一体に図５に示す第二の摺動型物５５がスライド移動し、第二の摺動型物５５の下面に取り付けた摺動子がフレキシブル基板８０の第二のスライドスイッチ用パターン８５上を摺動してそのオンオフ状態を切り換える。また押釦つまみ３１を押圧すれば、押釦つまみ３１が揺動して下降することでその下側に設置した反転板８７が押圧部３２（図４参照）によって押圧されて反転し、そのスイッチがオンする。前記押釦つまみ３１への押圧を解除すれば反転板８７が元の状態に自動復帰し、スイッチはオフする。一方押釦つまみ４１を押圧すれば、押釦つまみ４１が揺動して下降することでその下側に設置した反転板８９，９１の内の何れか一方（反転荷重の小さい方）が作動型物１４０の押圧部１４５によってまず反転してそのスイッチがオンし、さらに押釦つまみ４１を押圧すれば、さらに押釦つまみ４１が揺動して下降することでもう一方の反転板８９又は９１が作動型物１４０の押圧部１４５によって反転してそのスイッチがオンする。押釦つまみ４１への押圧を解除すれば反転板８９，９１はそれぞれ順番に元の状態に自動復帰してゆき、両スイッチはオフする。
【００４４】
次に押釦つまみ６１を押圧すれば、押釦つまみ６１が揺動して下降することでその下側に設置した反転板９３が反転してそのスイッチがオンする。また揺動つまみ７１を真下に押圧又は周囲方向に揺動させれば、その押圧・揺動方向に応じて、多方向揺動型スイッチ本体９５内に設けた複数のスイッチの内の何れかのスイッチがオンする。
【００４５】
即ちこの電子部品用操作板１においては、第一のスライド用のつまみ２１と第一の摺動型物２５と第一の摺動型物２５に取り付けた摺動子２５１（図４参照）とフレキシブル基板８０の部分とによって第一のスライド式電子部品２０が構成され、第二のスライド用のつまみ５１と第二の摺動型物５５と第二の摺動型物５５に取り付けた摺動子とフレキシブル基板８０の部分とによって第二のスライド式電子部品５０が構成され、押釦つまみ３１と反転板８７とフレキシブル基板８０の部分とによって押圧式スイッチ３０が構成され、押釦つまみ４１と反転板８９，９１とフレキシブル基板８０の部分とによって二段押圧型の押圧式スイッチ４０が構成され、押釦つまみ６１と反転板９３とフレキシブル基板８０の部分とによって第三の押圧式スイッチ６０が構成され、揺動つまみ７１と多方向揺動型スイッチ本体９５とフレキシブル基板８０の部分とによって多方向揺動型スイッチ７０が構成されている。
【００４６】
以上のように電子部品用操作板１を構成すれば、各つまみ２１，３１，４１，５１，６１，７１を一つの小さい面積のケース１０内に接近して設置できるので、この電子部品用操作板１を取り付けた電子機器を一方の手で持った状態で、指一つ（例えば親指）で、何れのつまみ２１，３１，４１，５１，６１，７１も容易に操作できる。
【００４７】
特にこの電子部品用操作板１の場合、電子部品用操作板１の中央に第一のスライド用のつまみ２１を設置し、且つこの第一のスライド用のつまみ２１の両側に一対の押釦つまみ３１，４１を設置しているので、第一のスライド用のつまみ２１の動作方向と押釦つまみ３１，４１の動作方向が交差・干渉することはなく、従ってこれらつまみ２１，３１，４１を集積して設置することが容易に行える。即ち第一のスライド用のつまみ２１は電子部品用操作板１の中央にあるので操作し易く、同時にその両側の一対の押釦つまみ３１，４１にも容易に親指が届くので、それらの操作も容易に行える。特に一対の押釦つまみ３１，４１は、その両外側辺３１ａ，４１ａがケース１０の円弧状の外周辺である薄い帯状の側辺１１５ａ，１１７ａに沿うように円弧状に形成されており、しかもこれら側辺１１５ａ，１１７ａの上辺部にはその略全長にわたって切り欠き部１１５ｂ，１１７ｂが設けられることで一対の押釦つまみ３１，４１の両外側辺３１ａ，４１ａの略全体がケース１０の側面に開放されて露出するため、押釦つまみ３１，４１の上面中央だけでなく、外側辺３１ａ，４１ａの部分の上を指によって押圧操作することが容易に行なえ、しかも一対の押釦つまみ３１，４１は、何れも第一のスライド用のつまみ２１側の所定位置を中心にして揺動する揺動式のつまみなので両外側辺３１ａ，４１ａの部分は最も上下動する部分であって一対の押釦つまみ３１，４１の押圧ストロークが長くなり、その押圧感覚が良くなり、これらのことから押釦つまみ３１，４１を小さくしてもその押圧操作が行い易くなる。
【００４８】
またこの電子部品用操作板１の場合、ケース１０の第一のスライド用のつまみ２１のスライド方向前方に第一面１１と所定角度α（９０°＜α＜１８０°）を有し且つ第一面１１の下方に垂下するように接続される第二面１５に第二のスライド用のつまみ５１を設置しているので、第二のスライド用のつまみ５１は第一のスライド用のつまみ２１のスライド方向Ａに対してその前方の下降する面１５上に設けられることとなり、従って第一のスライド用のつまみ２１を操作する親指で容易に第二のスライドつまみ５１の操作を行うことができる。
【００４９】
またこの電子部品用操作板１の場合、多方向揺動型スイッチ７０の揺動つまみ７１と第三の押圧式スイッチ６０の押釦つまみ６１とを第三面１７に並列に並べて設置したので、何れも親指によって容易に操作できる。
【００５０】
以上のことからこの電子部品用操作板１には、本願請求項１にかかる発明である、ケース１０表面に電子部品（第一のスライド式電子部品）２０のつまみ（第一のスライド用のつまみ）２１を設置すると共に、前記つまみ（第一のスライド用のつまみ）２１の両側に一対の押圧式スイッチ３０，４０の押釦つまみ３１，４１を設置した構成、が開示されている。またこの電子部品用操作板１には、本願請求項２にかかる発明である、前記電子部品（第一のスライド式電子部品）２０のつまみ（第一のスライド用のつまみ）２１には、このつまみ（第一のスライド用のつまみ）２１と一体に移動するようにケース１０下面に移動型物（第一の摺動型物）２５を取り付け、一方前記一対の押釦つまみ３１，４１からはそれぞれ二本のヒンジ部３３，４３を突出して設け、これら四本のヒンジ部３３，４３を、ケース１０下面において、その先端が前記移動型物（第一の摺動型物）２５の方向に向かうとともに、この移動型物（第一の摺動型物）２５を内包するように配置した構成、が開示されている。またこの電子部品用操作板１には、本願請求項３にかかる発明である、前記電子部品（第一のスライド式電子部品）２０のつまみ（第一のスライド用のつまみ）２１は、スライド用のつまみであり、且つ前記一対の押釦つまみ３１，４１は、前記電子部品（第一のスライド式電子部品）２０のつまみ（第一のスライド用のつまみ）２１のスライド方向に直交する方向に配置されている構成、が開示されている。またこの電子部品用操作板１には、本願請求項４に記載の発明である、前記ケース１０には、前記電子部品（第一のスライド式電子部品）２０のつまみ（第一のスライド用のつまみ）２１と一対の押釦つまみ３１，４１の他に、さらに第二の電子部品（第二のスライド式電子部品）５０のつまみ（第二のスライド用のつまみ）５１が取り付けられており、前記電子部品（第一のスライド式電子部品）２０のつまみ（第一のスライド用のつまみ）２１と一対の押釦つまみ３１，４１は前記ケース１０の第一面１１上に設けられ、一方前記第二の電子部品（第二のスライド式電子部品）５０のつまみ（第二のスライド用のつまみ）５１は、前記ケース１０の第一面１１と所定角度αを有して接続され且つ第一面１１の下方側に垂下する第二面１５上に設けられている構成、が開示されている。
【００５１】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではスライド式電子部品（第一，第二のスライド式電子部品２０，５０）としてスライド式スイッチを例に説明したが、スライド式スイッチの代わりにスライド式可変抵抗器等、他の各種スライド式の電子部品を設置してもよい。スライド式可変抵抗器とする場合は、フレキシブル基板８０上に形成した第一，第二のスライドスイッチ用パターン８３，８５の代わりに、抵抗パターンを形成すればよい。
【００５２】
また上記実施形態では電子部品としてスライド式電子部品を設置したが、スライド式電子部品（第一，第二のスライド式電子部品２０，５０）の代わりにそれぞれ回転式電子部品（第一，第二の回転式電子部品）を設置してもよい。回転式電子部品は回転式スイッチ、回転式可変抵抗器の何れであってもよい。回転式電子部品（第一の回転式電子部品）を設置する場合は、ケース１０の表面には回転用のつまみが設置されることとなってその両側に一対の押圧式スイッチ３０，４０の押釦つまみ３１，４１が設置されることとになり、またこの回転用のつまみには、このつまみと一体に回転（移動）するようにケース１０の下面に回転型物（移動型物）が取り付けられることとなる。そして前記一対の押釦つまみ３１，４１の四本のヒンジ部３３，３３，４３，４３は、ケース１０下面において、その先端が前記回転型物の方向に向かうとともに、この回転型物を内包するように配置されることとなる。
【図面の簡単な説明】
【００５３】
【図１】本発明の一実施形態にかかる電子部品用操作板１を示す斜視図である。
【図２】本発明の一実施形態にかかる電子部品用操作板１を示す平面図である。
【図３】ケース１０及び各種つまみ２１，３１，４１，５１，６１，７１の分解斜視図である。
【図４】ケース１０の第一面１１及び一対の押釦つまみ３１，４１及び第一の摺動型物２５を下側から見た要部斜視図である。
【図５】電子部品用操作板１全体の概略分解斜視図である。
【図６】第一の摺動型物２５と押釦つまみ３１と押釦つまみ４１とを取り付けた部分のケース１０の下面を示す裏面図である。
【符号の説明】
【００５４】
１  電子部品用操作板
１０  ケース
１１  第一面（面）
１１１  スライドつまみ挿入溝
１１３  スライドつまみ挿入孔
１１５，１１７  押釦つまみ挿入孔
１１５ａ，１１７ａ  側辺（外周辺）
１１５ｂ，１１７ｂ  切り欠き部
１３  屈曲辺
１５  第二面（面）
１５１  スライドつまみ挿入溝
１５３  スライドつまみ挿入孔
１５５，１５７  底面
１５９  段部
１７  第三面（面）
１７１  押釦つまみ挿入孔
１７３  揺動つまみ挿入孔
２０  第一のスライド式電子部品（スライド式電子部品、電子部品）
２１  第一のスライド用のつまみ（スライド用のつまみ）
２５  第一の摺動型物（第一の移動型物、移動型物）
２５１  摺動子
３０，４０  押圧式スイッチ
３１，４１  押釦つまみ
３１ａ，４１ａ  外側辺
３３，４３  ヒンジ部
３５，４５  固定部
３７，４７  取付孔
５０  第二のスライド式電子部品
５１  第二のスライド用のつまみ
５１３  ストッパー部
５５  第二の摺動型物（第二の移動型物）
６０  第三の押圧式スイッチ
６１  押釦つまみ
７０  多方向揺動型スイッチ
７１  揺動つまみ
８０  フレキシブル基板（基板）
８１  合成樹脂フイルム
８３  第一のスライドスイッチ用パターン
８５  第二のスライドスイッチ用パターン
８７  反転板
８９  第一反転板
９１  第二反転板
９３  反転板
９５  多方向揺動型スイッチ本体
１０９  折り曲げ片
１０９ａ  硬質板
１１８  ガイド側壁
１１９  固定部
１２０，１３０  取付板
１４０  作動型物
１４１  基部
１４３  ヒンジ部
１４５  押圧部
１４７  固定部
【図１】
2005293885.tif 000003
【図２】
2005293885.tif 000004
【図３】
2005293885.tif 000005
【図４】
2005293885.tif 000006
【図５】
2005293885.tif 000007
【図６】
2005293885.tif 000008